(57)【要約】【課題】画像データの急峻な変化による画像表示のちらつきを抑制可能な表示装置を提供する。【解決手段】表示装置１は、表示装置１は、複数の第１の画素データを含む第１画像データを格納する第１メモリ２１と、複数の第２の画素データを含む第２画像データを格納する第２メモリ２２と、フレーム毎に第１の画素データの画素値と第２の画素データの画素値との平均化処理を行う平均化処理部２３と、第１画像データ又は第２画像データに基づき、画像を表示する表示部１０と、を備える。平均化処理部２３は、第１メモリ２１に格納されたｎフレーム目の第１の画素データの画素値Ｙｎと、第２メモリ２２に格納されたｎ−１フレーム目の平均化処理後の第２の画素データの画素値Ｘｎ−１との平均化処理を行い、当該平均化処理後の画素値Ｘｎを、ｎフレーム目の第２の画素データとして出力すると共に第２メモリ２２に書き戻す。【選択図】図２
2020115177.tif 000002
【特許請求の範囲】
【請求項１】
複数の第１の画素データを含む第１画像データを格納する第１メモリと、
複数の第２の画素データを含む第２画像データを格納する第２メモリと、
フレーム毎に前記第１の画素データの画素値と前記第２の画素データの画素値との平均化処理を行う平均化処理部と、
前記第１画像データ又は前記第２画像データに基づき、画像を表示する表示部と、
を備え、
前記平均化処理部は、
前記第１メモリに格納されたｎフレーム目の前記第１の画素データの画素値と、前記第２メモリに格納されたｎ−１フレーム目の前記平均化処理後の前記第２の画素データの画素値との前記平均化処理を行い、当該平均化処理後の画素値を、ｎフレーム目の前記第２の画素データとして出力すると共に前記第２メモリに書き戻す
表示装置。
【請求項２】
前記平均化処理部は、
前記平均化処理において、前記第１の画素データの画素値と前記第２の画素データの画素値との加重平均処理を行う
請求項１に記載の表示装置。
【請求項３】
前記平均化処理部は、
前記平均化処理において、前記加重平均処理の線形近似式を用いる
請求項２に記載の表示装置。
【請求項４】
重み係数をα、ガンマ値をβとしたとき、重み係数αに応じたＡ＝α（１／β）、Ｂ＝１−α（１／β）、Ｃ＝１−（１−α）（１／β）、Ｄ＝（１−α）（１／β）を各係数として記憶する記憶部を備え、
前記平均化処理部は、
ｎフレーム目の前記第１の画素データの画素値をＹｎ、ｎ−１フレーム目の前記第２の画素データの画素値をＸｎ−１、ｎフレーム目の前記第２の画素データの画素値をＸｎとし、Ｘｎ−１≧Ｙｎを満たすとき、下記（１）式に示す積和演算式を用いてｎフレーム目の前記第２の画素データの画素値Ｘｎを算出し、Ｘｎ−１＜Ｙｎを満たすとき、下記（２）式に示す積和演算式を用いてｎフレーム目の前記第２の画素データの画素値Ｘｎを算出する
請求項３に記載の表示装置。
Ｘｎ＝ＡＸｎ−１＋ＢＹｎ・・・（１）
Ｘｎ＝ＣＸｎ−１＋ＤＹｎ・・・（２）
【請求項５】
前記平均化処理部は、
ｎフレーム目の前記第１画像データに含まれる前記第１の画素データの画素値の平均輝度と、ｎ−１フレーム目の前記第２画像データに含まれる前記第２の画素データの画素値の平均輝度との輝度差が所定の第１閾値より大きい場合に、前記重み係数αの値を小さくする
請求項４に記載の表示装置。
【請求項６】
前記平均化処理部は、
ｎ−１フレーム目の前記第２画像データに含まれる前記第２の画素データの画素値と、ｎフレーム目の前記第１画像データに含まれる前記第１の画素データの画素値との一致度が所定の第１閾値より大きい場合に、前記重み係数αの値を大きくする
請求項４に記載の表示装置。
【請求項７】
前記平均化処理部は、
ｎフレーム目の前記第１の画素データの画素値及びｎ−１フレーム目の前記第２の画素データの画素値の上位の所定ビット数のデータを用いて前記平均化処理を行い、当該平均化処理後のｎフレーム目の前記第２の画素データの画素値の残りの下位のビット数のデータとして、ｎフレーム目の前記第１の画素データの画素値の残りの下位のビット数のデータを適用する
請求項１から６の何れか一項に記載の表示装置。
【請求項８】
前記第１メモリに入力する前記第１画像データのフレーム間引き処理を行うフレーム間引き処理部と、
前記第１画像データ及び前記第２画像データのいずれか一方を選択して前記表示部に出力する画像データ選択部と、
をさらに備える
請求項１から７の何れか一項に記載の表示装置。
【請求項９】
前記フレーム間引き処理部は、
前記画像データ選択部によって前記第２画像データが選択されているとき、前記フレーム間引き処理を行う
請求項８に記載の表示装置。
【請求項１０】
前記フレーム間引き処理部は、
前記画像データ選択部によって前記第２画像データが選択されているとき、前記第１画像データの出力を停止する
請求項８に記載の表示装置。
【請求項１１】
前記フレーム間引き処理部は、
前記画像データ選択部によって前記第１画像データが選択されているとき、前記第１画像データの出力を停止する
請求項８に記載の表示装置。
【請求項１２】
前記画像データ選択部は、
ｎフレーム目の前記第１画像データに含まれる前記第１の画素データの画素値の平均輝度と、ｎ−１フレーム目の前記第２画像データに含まれる前記第２の画素データの画素値の平均輝度との輝度差が所定の第２閾値より大きい場合に、前記第１画像データを選択する
請求項１１に記載の表示装置。
【請求項１３】
前記画像データ選択部は、
ｎ−１フレーム目の前記第２画像データに含まれる前記第２の画素データの画素値と、ｎフレーム目の前記第１画像データに含まれる前記第１の画素データの画素値との一致度が所定の第２閾値より大きい場合に、前記第１画像データを選択する
請求項１１に記載の表示装置。
【発明の詳細な説明】
【技術分野】
【０００１】
本発明は、表示装置に関する。
【背景技術】
【０００２】
近年、液晶表示パネルや有機ＥＬ表示パネル等を用いた表示装置が一般的となっている。このような表示装置では、１ライン分の画像データをバッファメモリに読み込み、タイミング信号にあわせて（一定周期で）、バッファメモリ内の画像データを表示パネルに出力することで画像表示が行われる。例えば、バッファメモリの容量が少なくアンダーランが生じても、画像表示のちらつきを抑制する表示装置が開示されている（例えば、特許文献１参照）。
【先行技術文献】
【特許文献】
【０００３】
【特許文献１】特開２０１６−２１８８３３号公報
【発明の概要】
【発明が解決しようとする課題】
【０００４】
スマートフォンやタブレットＰＣ等の携帯型端末装置や据え置き型ＰＣでは、ＵＩ（Ｕｓｅｒ  Ｉｎｔｅｒｆａｃｅ）環境を提供するＯＳ（Ｏｐｅｒａｔｉｎｇ  Ｓｙｓｔｅｍ）と、該ＯＳ上で動作する複数のアプリケーション等が記憶装置にインストールされ、これらＯＳと各アプリケーションとが連携して動作することで、所定の機能を実現している。表示パネル上の画像表示のタイミングは、ＯＳやアプリケーション、又はウェブブラウザを用いてアクセスするウェブページの仕様によって決まるが、例えばポップアップウィンドウが極めて短時間だけ表示される等、画像表示の輝度が一瞬で大きく変化するような状況が起こり得る。このような不自然な画像表示の遷移は、画像表示のちらつきと認識される場合がある。また、ユーザーの視覚や心身に支障を与える可能性がある。
【０００５】
本発明は、画像データの急峻な変化による画像表示のちらつきを抑制可能な表示装置を提供することを目的とする。
【課題を解決するための手段】
【０００６】
本発明の一態様に係る表示装置は、複数の第１の画素データを含む第１画像データを格納する第１メモリと、複数の第２の画素データを含む第２画像データを格納する第２メモリと、フレーム毎に前記第１の画素データの画素値と前記第２の画素データの画素値との平均化処理を行う平均化処理部と、前記第１画像データ又は前記第２画像データに基づき、画像を表示する表示部と、を備え、前記平均化処理部は、前記第１メモリに格納されたｎフレーム目の前記第１の画素データの画素値と、前記第２メモリに格納されたｎ−１フレーム目の前記平均化処理後の前記第２の画素データの画素値との前記平均化処理を行い、当該平均化処理後の画素値を、ｎフレーム目の前記第２の画素データとして出力すると共に前記第２メモリに書き戻す。
【図面の簡単な説明】
【０００７】
【図１】図１は、実施形態１に係る表示装置の概略構成を示す模式図である。
【図２】図２は、実施形態１に係る表示装置の要部構成例を示すブロック図である。
【図３】図３は、実施形態１に係る表示装置の表示モードの遷移例を示す図である。
【図４】図４は、実施形態１に係る表示装置の記憶部に格納されるデータテーブルの一例を示す図である。
【図５】図５は、ｎフレーム目の第１の画素データの画素値Ｙｎとｎフレーム目の第２の画素データの画素値Ｘｎとの関係を示す図である。
【図６】図６は、実施形態１の変形例に係る表示装置の平均化処理の一例を示す図である。
【図７】図７は、実施形態２に係る表示装置の要部構成例を示すブロック図である。
【図８】図８は、実施形態２に係る表示装置の記憶部に格納されるデータテーブルの一例を示す第１図である。
【図９】図９は、実施形態２に係る表示装置の重み係数αの変化を示す第１図である。
【図１０】図１０は、実施形態２に係る表示装置の記憶部に格納されるデータテーブルの一例を示す第２図である。
【図１１】図１１は、実施形態２に係る表示装置の重み係数αの変化を示す第２図である。
【図１２】図１２は、実施形態２の変形例に係る表示装置の記憶部に格納されるデータテーブルの一例を示す第１図である。
【図１３】図１３は、実施形態２の変形例に係る表示装置の重み係数αの変化を示す第１図である。
【図１４】図１４は、実施形態２の変形例に係る表示装置の記憶部に格納されるデータテーブルの一例を示す第２図である。
【図１５】図１５は、実施形態２の変形例に係る表示装置の重み係数αの変化を示す第２図である。
【図１６】図１６は、実施形態３に係る表示装置の要部構成例を示すブロック図である。
【図１７】図１７は、実施形態３に係る表示装置の表示モードの遷移例を示す図である。
【図１８】図１８は、実施形態３に係る表示装置の表示モード切替処理例を示すフローチャートである。
【図１９】図１９は、実施形態４に係る表示装置の要部構成例を示すブロック図である。
【図２０】図２０は、実施形態４に係る表示装置の表示モードの遷移例を示す図である。
【図２１】図２１は、実施形態４に係る表示装置の表示モード切替処理例を示すフローチャートである。
【発明を実施するための形態】
【０００８】
本発明を実施するための形態（実施形態）につき、図面を参照しつつ詳細に説明する。なお、以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。また、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
（実施形態１）
図１は、実施形態１に係る表示装置の概略構成を示す模式図である。図１に示すように、本実施形態に係る表示装置１は、表示基板２と、第１回路基板３と、第２回路基板４と、を含む。
【００１０】
本実施形態において、表示基板２は、例えばガラス基板によって構成される。表示基板２には、画素（不図示）が図中のＸ方向及びＹ方向に配列された表示部１０が設けられている。
【００１１】
表示部１０は、例えば表示素子として液晶表示素子を備えた構成であっても良い。また、表示部１０は、例えば表示素子として発光素子を用いた有機ＥＬディスプレイパネル（ＯＬＥＤ：Ｏｒｇａｎｉｃ  Ｌｉｇｈｔ  Ｅｍｉｔｔｉｎｇ  Ｄｉｏｄｅ）や無機ＥＬディスプレイ（マイクロＬＥＤ、Ｍｉｎｉ−ＬＥＤ）であっても良い。
【００１２】
また、表示部１０は、例えば静電容量型のタッチセンサが一体化された、いわゆるインセルタイプ又はハイブリッドタイプの装置であっても良い。表示部１０に静電容量型のタッチセンサを内蔵して一体化するとは、例えば、表示用の基板や電極などの一部の部材と、タッチセンサとして使用される基板や電極などの一部の部材とを兼用することを含む。あるいは、表示部１０は、例えば静電容量型のタッチセンサを装着した、いわゆるオンセルタイプの装置であっても良い。表示部１０の態様により本開示が限定されるものではない。
【００１３】
表示基板２には、表示部１０の画素回路に走査信号を供給する走査信号線や、表示部１０の画素回路に映像信号を供給する映像信号線が設けられている。
【００１４】
本実施形態において、第１回路基板３は、例えばフレキシブル配線基板（ＦＰＣ：Ｆｌｅｘｉｂｌｅ  Ｐｒｉｎｔｅｄ  Ｃｉｒｃｕｉｔｓ）によって構成される。第１回路基板３上には、ドライバＩＣ６やタイミングコントローラ７が実装される。
【００１５】
ドライバＩＣ６は、例えば、表示部１０の映像信号線に映像信号を供給する映像線駆動回路や、表示部１０の走査信号線に走査信号を供給する走査信号線駆動回路等が集積された半導体チップである。
【００１６】
タイミングコントローラ７は、例えば、ラインメモリ、マルチプレクサ、及びタイミングパルス供給部等が集積された半導体チップである。タイミングコントローラ７は、後述するホストＩＣ８から入力される画像データ、水平同期信号、垂直同期信号、クロック信号等に基づき、ドライバＩＣ６を制御する。
【００１７】
ドライバＩＣ６及びタイミングコントローラ７は、例えば異方性導電フィルム（ＡＣＦ：Ａｎｉｓｏｔｒｏｐｉｃ  Ｃｏｎｄｕｃｔｉｖｅ  Ｆｉｌｍ）を用いたＣＯＦ（Ｃｈｉｐ  Ｏｎ  Ｆｉｌｍ）によって第１回路基板３に実装される（以下、「ＣＯＦ実装」と称する）。ドライバＩＣ６及びタイミングコントローラ７は、それぞれ別の半導体チップで構成されていても良いし、１つの半導体チップで構成されていても良い。なお、ドライバＩＣ６及びタイミングコントローラ７等を有する半導体チップは、表示基板２の上に実装されても良い。
【００１８】
本実施形態において、第２回路基板４は、例えばフレキシブル配線基板によって構成されても良いし、リジッド回路基板によって構成されても良い。第２回路基板４には、例えば、タイミングコントローラ７を制御するホストＩＣ８や、各種の基準電位を発生する電源回路、映像信号を処理する信号処理回路及びフレームメモリ等の回路要素を配置することができる。ホストＩＣ８は、ユーザーがユーザー入力部９を操作することにより、表示装置１の動作を制御する構成部である。ユーザー入力部９は、例えば、表示部１０に設けられたタッチセンサであっても良いし、表示装置１に設けられたハードウェアボタン（不図示）であっても良い。
【００１９】
図２は、実施形態１に係る表示装置の要部構成例を示すブロック図である。図２に示す画像データ処理部２０及び画像データ処理部２０の動作を制御する制御部３０は、例えば、ドライバＩＣ６又はタイミングコントローラ７に設けられる。画像データ処理部２０及び制御部３０は、それぞれドライバＩＣ６とタイミングコントローラ７とに分けて設けられる態様であっても良いし、ドライバＩＣ６又はタイミングコントローラ７の何れか一方に設けられる態様であっても良い。
【００２０】
以下の説明において、各構成部間で送受される画像データは、所定の解像度を有し、映像信号の１フレーム期間で表示すべき画素データの集まりである。本実施形態において、画像データの解像度は一定であるものとする。例えば、画像データが１９２０×１０８０ピクセルの解像度を有する場合、画像データは、１９２０×１０８０個の画素データを含む。
【００２１】
本実施形態において、表示部１０は、画像データ処理部２０から所定のフレームレート（例えば、６０［Ｈｚ］）で出力された画像データに基づき、画像表示を行う。
【００２２】
図３は、実施形態１に係る表示装置の表示モードの遷移例を示す図である。図３に示すように、本実施形態に係る表示装置１は、表示モードとして、通常表示モードと、時間平均画像表示モードと、を有する。
【００２３】
通常表示モードにおいて、画像データ処理部２０は、画像データ処理部２０に入力された第１画像データを出力する。
【００２４】
時間平均画像表示モードにおいて、画像データ処理部２０は、本実施形態に係る平均化処理後の第２画像データを出力する。本実施形態に係る平均化処理については、後述する。
【００２５】
すなわち、本実施形態において、通常表示モードとは、画像データ処理部２０に入力された第１画像データに対し、本実施形態に係る平均化処理を行わずに出力する表示モードであり、時間平均画像表示モードとは、画像データ処理部２０に入力された第１画像データに対し、本実施形態に係る平均化処理を行った第２画像データを出力する表示モードである。
【００２６】
図２に示すように、画像データ処理部２０は、第１メモリ２１と、第２メモリ２２と、平均化処理部２３と、バッファメモリ２４と、画像データ選択部２５と、記憶部２６と、データ入力部２７と、を備える。
【００２７】
データ入力部２７は、時間平均画像表示モードにおいて、入力された第１画像データのフレーム間引き処理を行うフレーム間引き処理部２７１を含む。このフレーム間引き処理により、後段の平均化処理部２３による平均化処理にかかる演算量を抑制することができる。なお、フレーム間引き処理部２７１は、通常表示モードにおいて、入力された第１画像データのフレーム間引き処理を行わない。
【００２８】
第１メモリ２１及び第２メモリ２２は、例えば、ＤＲＡＭ等で構成されたＶＲＡＭである。
【００２９】
第１メモリ２１は、入力された第１画像データの１フレーム分の第１の画素データを格納する。また、第１メモリ２１は、格納した各第１の画素データを平均化処理部２３及び画像データ選択部２５に出力する。以下、第１メモリ２１に格納される各第１の画素データの画素値をＹｎ（ｎは、ｎフレーム目の画素値であることを示す）とする。本実施形態において、画素値とは、画素毎の画像データの階調値を示す。画像データの階調値とは、各画素における輝度に対応する値である。
【００３０】
第２メモリ２２は、平均化処理部２３による平均化処理後の１フレーム分の画素データを第２の画像データとして格納する。また、第２メモリ２２は、格納した各第２の画素データを平均化処理部２３に出力する。以下、平均化処理部２３による平均化処理後に第２メモリ２２に格納される各第２の画素データの画素値をＸｎとする。
【００３１】
平均化処理部２３は、第１メモリ２１に格納された第１の画素データ、及び、第２メモリ２１に格納された第２の画素データを、それぞれ１ラインずつ読み出し、第１の画素データの画素値Ｙｎと第２の画素データの画素値Ｘｎ−１との平均化処理を行う。また、平均化処理部２３は、平均化処理後の画素値Ｘｎを第２メモリ２２に書き戻すと共に、後段のバッファメモリ２４に出力する。
【００３２】
バッファメモリ２４は、平均化処理部２３から出力された１ライン分の各第２の画素データの画素値Ｘｎを格納し、画像データ選択部２５に出力する。
【００３３】
画像データ選択部２５は、第１メモリ２１から入力された第１画像データ及びバッファメモリ２４から入力された第２画像データのいずれか一方を選択して出力する。具体的に、画像データ選択部２５は、通常表示モードにおいて第１画像データを選択し、時間平均画像表示モードにおいて第２画像データを選択する。
【００３４】
記憶部２６には、平均化処理部２３による平均化処理のための情報が格納される。
【００３５】
次に、各表示モードにおける動作及び表示モード間の切り替えについて説明する。なお、図３に示す各表示モード間の切り替えは、制御部３０が行う。
【００３６】
具体的には、例えば、ユーザーがユーザー入力部９を操作して、時間平均画像表示モードの「ＯＮ」を選択することにより、制御部３０は、時間平均画像表示モードでの表示を行うように、画像データ処理部２０を制御する。
【００３７】
また、例えば、ユーザーがユーザー入力部９を操作して、時間平均画像表示モードの「ＯＦＦ」を選択することにより、制御部３０は、通常表示モードでの表示を行うように、画像データ処理部２０を制御する。
【００３８】
なお、ユーザーによる表示モードの切り替えは、ユーザー入力部９がハードウェアボタンである場合には、ハードウェアボタンを押した回数あるいは時間経過等に応じて切り替える態様であっても良い。また、ユーザーによる表示モードの切り替えは、ユーザー入力部９がタッチセンサである場合には、表示部１０に表示されたアイコンへのタッチ操作や所定のジェスチャに応じて切り替える態様であっても良い。ユーザーによる表示モードの切り替え手法により本発明が限定されるものではない。
【００３９】
通常表示モードにおいて、制御部３０は、画像データ処理部２０に対し、通常表示動作指令を出力する。
【００４０】
フレーム間引き処理部２７１は、通常表示動作指令に基づき、入力された第１画像データのフレーム間引き処理を停止する。
【００４１】
平均化処理部２３は、通常表示動作指令に基づき、平均化処理を停止する。
【００４２】
画像データ選択部２５は、通常表示動作指令に基づき、第１メモリ２１から出力される第１画像データを選択して出力する。
【００４３】
これにより、画像データ処理部２０に入力された第１画像データが出力され、通常表示モードで画像表示が行われる。
【００４４】
時間平均画像表示モードにおいて、制御部３０は、画像データ処理部２０に対し、時間平均画像表示動作指令を出力する。
【００４５】
フレーム間引き処理部２７１は、時間平均画像表示動作指令に基づき、入力された第１画像データのフレーム間引き処理を行う。具体的には、例えば、表示部１０によって画像表示を行う際のフレームレート（例えば、６０［Ｈｚ］）よりも小さいフレームレート（例えば、４０「Ｈｚ」）となるように、フレーム間引き処理を行う。これにより、後段の平均化処理部２３による平均化処理にかかる演算量を抑制することができる。なお、フレーム間引き処理後のフレームレートは、表示部１０によって画像表示を行う際のフレームレートに対して非同期であることが好ましい。これにより、ティアリング線が拡散される。このフレーム間引き処理は、ユーザーがユーザー入力部９を操作することにより、フレーム間引き処理を行うか否かを選択することができる態様であっても良い。
【００４６】
平均化処理部２３は、時間平均画像表示動作指令に基づき、平均化処理を行う。
【００４７】
画像データ選択部２５は、時間平均画像表示動作指令に基づき、バッファメモリ２４から出力される第２画像データを選択して出力する。
【００４８】
これにより、平均化処理部２３による平均化処理後の第２画像データが出力され、時間平均画像表示モードで画像表示が行われる。
【００４９】
以下、平均化処理について説明する。
【００５０】
例えば、下記（１）式を用いた加重平均処理により、ｎフレーム目の第２の画素データの画素値Ｘｎを算出することができる。
【００５１】
Ｘｎ＝｛αＸｎ−１β＋（１−α）Ｙｎβ｝（１／β）・・・（１）
【００５２】
上記（１）式において、αは、平均化処理を行う際の重み係数である。重み係数αは、０≦α＜１の範囲で複数の値を設けるものとする。例えば、２０個の値が所定の刻み幅１／２０ステップで設定されていても良い。
【００５３】
また、上記（１）式において、βは、例えばガンマ補正におけるガンマ値である。このガンマ値は、例えば、２．２であっても良いし、異なる値であっても良い。また、βの値は、レジスタ設定等により外部から設定可能な態様としても良い。
【００５４】
上記（１）式において、重み係数αを適切に設定することにより、第１画像データの急峻な変動が抑制された第２画像データが得られ、画像表示のちらつきを抑制することができる。
【００５５】
なお、上記（１）式では、指数処理を含んでいるため、平均化処理にかかる演算量が多くなる。このため、本実施形態において、平均化処理部２３は、上記（１）式を線形近似した下記（２）式及び（３）式を用いて、ｎフレーム目の第２の画素データの画素値Ｘｎを算出する。具体的に、平均化処理部２３は、ｎ−１フレーム目の第２の画素データの画素値Ｘｎ−１がｎフレーム目の第１の画素データの画素値Ｙｎ以上（Ｘｎ−１≧Ｙｎ）である場合には、下記（２）式を用いてｎフレーム目の第２の画素データの画素値Ｘｎを算出し、ｎ−１フレーム目の第２の画素データの画素値Ｘｎ−１がｎフレーム目の第１の画素データの画素値Ｙｎ未満（Ｘｎ−１＜Ｙｎ）である場合には、下記（３）式を用いてｎフレーム目の第２の画素データの画素値Ｘｎを算出する。
【００５６】
Ｘｎ＝α（１／β）Ｘｎ−１＋｛１−α（１／β）｝Ｙｎ・・・（２）
【００５７】
Ｘｎ＝｛１−（１−α）（１／β）｝Ｘｎ−１＋（１−α）（１／β）Ｙｎ・・・（３）
【００５８】
ここで、Ａ＝α（１／β）、Ｂ＝１−α（１／β）、Ｃ＝１−（１−α）（１／β）、Ｄ＝（１−α）（１／β）とすると、上記（２）式及び（３）式は、下記（２’）式及び（３’）式に一般化できる。
【００５９】
Ｘｎ＝ＡＸｎ−１＋ＢＹｎ・・・（２’）
【００６０】
Ｘｎ＝ＣＸｎ−１＋ＤＹｎ・・・（３’）
【００６１】
図４は、実施形態１に係る表示装置の記憶部に格納されるデータテーブルの一例を示す図である。図４に示す例では、重み係数αの刻み幅を１／ｍ（ｍは１以上の整数）としている。
【００６２】
図４に示すように、本実施形態の記憶部２６には、重み係数αの値「ａ１」，「ａ２」，「ａ３」，・・・，「ａｍ」に対応して、各係数値（Ａ，Ｂ，Ｃ，Ｄ）がデータテーブルとして記憶されている。
【００６３】
具体的に、図４に示す例において、記憶部２６には、重み係数αの値「ａ１」に対応して、各係数値（Ａ１，Ｂ１，Ｃ１，Ｄ１）が記憶されている。
【００６４】
また、図４に示す例において、記憶部２６には、重み係数αの値「ａ２」に対応して、各係数値（Ａ２，Ｂ２，Ｃ２，Ｄ２）が記憶されている。
【００６５】
また、図４に示す例において、記憶部２６には、重み係数αの値「ａ３」に対応して、各係数値（Ａ３，Ｂ３，Ｃ３，Ｄ３）が記憶されている。
【００６６】
また、図４に示す例において、記憶部２６には、重み係数αの値「ａｍ」に対応して、各係数値（Ａｍ，Ｂｍ，Ｃｍ，Ｄｍ）が記憶されている。
【００６７】
平均化処理部２３は、記憶部２６に記憶された図４に示すデータテーブルから、上記（２’）式及び（３’）式の各項の係数値を読み出し、上記（２’）式及び（３’）式を用いて、画素値Ｘｎを算出する。
【００６８】
これにより、平均化処理部２３による平均化処理にかかる演算量を抑制しつつ、画像表示のちらつきを抑制することができる。
【００６９】
図５は、第１の画素データの画素値Ｙｎと第２の画素データの画素値Ｘｎとの関係を示す図である。図５に示す例において、横軸はフレームを示し、縦軸は画素値を示している。また、図５に示す例において、破線は第１の画素データの画素値Ｙｎを示し、実線は第２の画素データの画素値Ｘｎを示している。
【００７０】
本実施形態では、図５に示すように、平均化処理部２３による平均化処理によって平均化処理後の第２の画素データの画素値Ｘｎは、第１の画素データの画素値Ｙｎの急峻な変化が抑制される。このように、本実施形態では、時間平均画像表示モードにおいて、平均化処理部２３による平均化処理により、第１画像データの急峻な変化によるちらつきを抑制した第２画像データによる画像表示を実現することができる。
【００７１】
また、本実施形態では、ガンマ補正におけるガンマ値を加味した上記（１）式又は上記（２）式及び（３）式を用いて、第１メモリ２１から入力されたｎフレーム目の第１の画素データの画素値Ｙｎと第２メモリ２２から入力されたｎ−１フレーム目の第２の画素データの画素値Ｘｎ−１との平均化処理を行うことで、中間色調の輝度の低下を抑制することができる。
【００７２】
また、例えば、平均化処理部２３において、１ライン分の第１の画素データの画素値Ｙｎと第２の画素データの画素値Ｘｎ−１とが一致している場合には、１ライン分の平均化処理を行わない態様としても良い。この場合、平均化処理部２３は、第１の画素データの画素値Ｙｎと第２の画素データの画素値Ｘｎ−１とが一致している１ライン分の第１の画素データの画素値Ｙｎを出力する。このようにすれば、平均化処理にかかる演算量をさらに抑制することができる。
【００７３】
（変形例）
図６は、実施形態１の変形例に係る表示装置の平均化処理の一例を示す図である。図６では、ｎ−１フレーム目の第２の画素データの画素値Ｘｎ−１及びｎフレーム目の第１の画素データの画素値Ｙｎがそれぞれ８ｂｉｔのデジタル値である例を示している。
【００７４】
実施形態１の変形例では、ｎフレーム目の第２の画素データの画素値Ｘｎは、ｎ−１フレーム目の第２の画素データの画素値Ｘｎ−１の上位４ｂｉｔ及びｎフレーム目の第１の画素データの画素値Ｙｎの上位４ｂｉｔを用いて平均化処理を行い、残りの下位４ｂｉｔ分は、ｎフレーム目の第１の画素データの画素値Ｙｎの残りの下位４ｂｉｔを適用する。
【００７５】
図６に示すように、ｎ−１フレーム目の第２の画素データの画素値Ｘｎ−１及びｎフレーム目の第１の画素データの画素値Ｙｎは、それぞれ、下記（４）式及び下記（５）式で表せる。
【００７６】
Ｘｎ−１＝Ｘｎ−１＿ｕｐｐｅｒ＋Ｘｎ−１＿ｕｎｄｅｒ・・・（４）
【００７７】
Ｙｎ＝Ｙｎ＿ｕｐｐｅｒ＋Ｙｎ＿ｕｎｄｅｒ・・・（５）
【００７８】
上記（４）式において、Ｘｎ−１＿ｕｐｐｅｒは、ｎ−１フレーム目の第２の画素データの画素値Ｘｎ−１の上位４ｂｉｔを示し、Ｘｎ−１＿ｕｎｄｅｒは、ｎ−１フレーム目の第２の画素データの画素値Ｘｎ−１の下位４ｂｉｔを示している。また、上記（５）式において、Ｙｎ＿ｕｐｐｅｒは、ｎフレーム目の第１の画素データの画素値Ｙｎの上位４ｂｉｔを示し、Ｙｎ＿ｕｎｄｅｒは、ｎフレーム目の第１の画素データの画素値Ｙｎの下位４ｂｉｔを示している。
【００７９】
上記（４）式及び（５）式を上記（２）式及び(３)式に適用すると、下記（６）式及び（７）式が得られる。
【００８０】
Ｘｎ
＝α（１／β）（Ｘｎ−１＿ｕｐｐｅｒ＋Ｘｎ−１＿ｕｎｄｅｒ）
＋｛１−α（１／β）｝（Ｙｎ＿ｕｐｐｅｒ＋Ｙｎ＿ｕｎｄｅｒ）
＝［α（１／β）（Ｘｎ−１＿ｕｐｐｅｒ）＋｛１−α（１／β）｝（Ｙｎ＿ｕｐｐｅｒ）］
＋［α（１／β）（Ｘｎ−１＿ｕｎｄｅｒ）＋｛１−α（１／β）｝（Ｙｎ＿ｕｎｄｅｒ）］
・・・（６）
【００８１】
Ｘｎ
＝｛１−（１−α）（１／β）｝（Ｘｎ−１＿ｕｐｐｅｒ＋Ｘｎ−１＿ｕｎｄｅｒ）
＋（１−α）（１／β）（Ｙｎ＿ｕｐｐｅｒ＋Ｙｎ＿ｕｎｄｅｒ）
＝［｛１−（１−α）（１／β）｝（Ｘｎ−１＿ｕｐｐｅｒ）
＋（１−α）（１／β）（Ｙｎ＿ｕｐｐｅｒ）｝］
＋［｛１−（１−α）（１／β）｝（Ｘｎ−１＿ｕｎｄｅｒ）
＋（１−α）（１／β）（Ｙｎ＿ｕｎｄｅｒ）｝］・・・（７）
【００８２】
ここで、Ａ＝α（１／β）、Ｂ＝１−α（１／β）、Ｃ＝１−（１−α）（１／β）、Ｄ＝（１−α）（１／β）とすると、上記（６）式及び（７）式は、下記（６’）式及び（７’）式に一般化できる。
【００８３】
Ｘｎ＝｛Ａ（Ｘｎ−１＿ｕｐｐｅｒ）＋Ｂ（Ｙｎ＿ｕｐｐｅｒ）｝
＋｛Ａ（Ｘｎ−１＿ｕｎｄｅｒ）＋Ｂ（Ｙｎ＿ｕｎｄｅｒ）｝・・・（６’）
【００８４】
Ｘｎ＝｛Ｃ（Ｘｎ−１＿ｕｐｐｅｒ）＋Ｄ（Ｙｎ＿ｕｐｐｅｒ）｝
＋｛Ｃ（Ｘｎ−１＿ｕｎｄｅｒ）＋Ｄ（Ｙｎ＿ｕｎｄｅｒ）｝・・・（７’）
【００８５】
一方、ｎフレーム目の画素値Ｙｎと、ｎフレーム目よりも後のｍフレーム目の画素値Ｙｍとが等しい（Ｙｍ＝Ｙｎ）と仮定すると、ｉフレーム目の第２の画素データの画素値Ｘｉ（ｉ→∞）は、下記（８）式で表せる。
【００８６】
Ｘｉ（ｉ→∞）＝Ｙｉ＿ｕｐｐｅｒ＋Ｙｉ＿ｕｎｄｅｒ＝Ｙｎ・・・（８）
【００８７】
すなわち、過渡期においては、ｉフレーム目の第２の画素データの画素値Ｘｉ（ｉ→∞）は、ｎフレーム目の第１の画素データの画素値Ｙｎに収束する。これより、上記（６’）式及び上記（７’）式は、それぞれ、下記（９）式及び（１０）式で表せる。
【００８８】
Ｘｎ≒｛Ａ（Ｘｎ−１＿ｕｐｐｅｒ）＋Ｂ（Ｙｎ＿ｕｐｐｅｒ）｝＋Ｙｎ＿ｕｎｄｅｒ
・・・（９）
【００８９】
Ｘｎ≒｛Ｃ（Ｘｎ−１＿ｕｐｐｅｒ）＋Ｄ（Ｙｎ＿ｕｐｐｅｒ）｝］＋Ｙｎ＿ｕｎｄｅｒ
・・・（１０）
【００９０】
上記（９）式及び（１０）式における｛｝内を「Ａｖｅ｛Ｘｎ−１＿ｕｐｐｅｒ＋Ｙｎ＿ｕｐｐｅｒ｝」とすると、下記（１１）式が得られる。
【００９１】
Ｘｎ≒Ａｖｅ｛Ｘｎ−１＿ｕｐｐｅｒ＋Ｙｎ＿ｕｐｐｅｒ｝＋Ｙｎ＿ｕｎｄｅｒ
・・・（１１）
【００９２】
すなわち、図６に示すように、ｎフレーム目の第２の画素データの画素値Ｘｎは、上述したように、ｎ−１フレーム目の第２の画素データの画素値Ｘｎ−１の上位４ｂｉｔ及びｎフレーム目の第１の画素データの画素値Ｙｎの上位４ｂｉｔを用いて平均化処理を行い、残りの下位４ｂｉｔ分は、ｎフレーム目の第１の画素データの画素値Ｙｎの残りの下位４ｂｉｔを適用する。これにより、ｎ−１フレーム目の第２の画素データの画素値Ｘｎ−１及びｎフレーム目の第１の画素データの画素値Ｙｎの全８ｂｉｔを用いて平均化処理を行う場合よりも、平均化処理部２３による平均化処理にかかる演算量を抑制することができる。
【００９３】
なお、ｎフレーム目の第２の画素データの画素値Ｘｎに必要な精度に応じて、平均化処理を行うｂｉｔ数を調整することも可能である。例えば、ｎ−１フレーム目の第２の画素データの画素値Ｘｎ−１の上位５ｂｉｔ及びｎフレーム目の第１の画素データの画素値Ｙｎの上位５ｂｉｔを用いて平均化処理を行い、下位３ｂｉｔ分は、ｎフレーム目の第１の画素データの画素値Ｙｎの残りの下位３ｂｉｔを適用する態様であっても良いし、ｎ−１フレーム目の第２の画素データの画素値Ｘｎ−１の上位６ｂｉｔ及びｎフレーム目の第１の画素データの画素値Ｙｎの上位６ｂｉｔを用いて平均化処理を行い、下位２ｂｉｔ分は、ｎフレーム目の第１の画素データの画素値Ｙｎの残りの下位２ｂｉｔを適用する態様であっても良い。
【００９４】
以上説明したように、実施形態１に係る表示装置１は、複数の第１の画素データを含む第１画像データを格納する第１メモリ２１と、複数の第２の画素データを含む第２画像データを格納する第２メモリ２２と、フレーム毎に第１の画素データの画素値と第２の画素データの画素値との平均化処理を行う平均化処理部２３と、第１画像データ又は第２画像データに基づき、画像を表示する表示部１０と、を備える。平均化処理部２３は、第１メモリ２１に格納されたｎフレーム目の第１の画素データの画素値Ｙｎと、第２メモリ２２に格納されたｎ−１フレーム目の平均化処理後の第２の画素データの画素値Ｘｎ−１との平均化処理を行い、当該平均化処理後の画素値Ｘｎを、ｎフレーム目の第２の画素データとして出力すると共に第２メモリ２２に書き戻す。
【００９５】
上記構成により、第１画像データの急峻な変化によるちらつきを抑制した第２画像データによる画像表示を実現することができる。
【００９６】
また、平均化処理部２３は、ｎフレーム目の第１の画素データの画素値Ｙｎ及びｎ−１フレーム目の第２の画素データの画素値Ｘｎ−１の上位の所定ビット数のデータを用いて平均化処理を行い、当該平均化処理後のｎフレーム目の第２の画素データの画素値Ｘｎの残りの下位のビット数のデータとして、ｎフレーム目の第１の画素データの画素値Ｙｎの残りの下位のビット数のデータを適用する。
【００９７】
これにより、画素値Ｘｎ−１及び画素値Ｙｎの全８ｂｉｔを用いて平均化処理を行う場合よりも、平均化処理部２３による平均化処理にかかる演算量を抑制することができる。
【００９８】
また、第１メモリ２１に入力する第１画像データのフレーム間引き処理を行うフレーム間引き処理部２７１と、第１画像データ及び第２画像データのいずれか一方を選択して出力する画像データ選択部２５と、を備える。フレーム間引き処理部２７１は、画像データ選択部２５によって第２画像データが選択されているとき、フレーム間引き処理を行う。
【００９９】
これにより、後段の平均化処理部２３による平均化処理にかかる演算量を抑制することができる。
【０１００】
本実施形態により、第１画像データの急峻な変化による画像表示のちらつきを抑制した第２画像データによる画像表示が可能な表示装置１を得ることができる。
【０１０１】
（実施形態２）
図７は、実施形態２に係る表示装置の要部構成例を示すブロック図である。なお、上述した実施形態１と同等あるいは同一の構成部については、重複する説明を省略する。
【０１０２】
図７に示すように、実施形態２に係る表示装置１ａの画像データ処理部２０ａは、実施形態１の構成に加えて、輝度差算出部２８ａを備えている。
【０１０３】
輝度差算出部２８ａは、第１メモリ２１から入力されたｎフレーム目の第１画像データに含まれる第１の画素データの画素値Ｙｎの平均輝度Ｓ［Ｙｎ］と、第２メモリ２２から入力されたｎ−１フレーム目の第２画像データに含まれる第２の画素データの画素値Ｘｎ−１の平均輝度Ｓ［Ｘｎ−１］との輝度差ΔＳ１を算出する。
【０１０４】
輝度差ΔＳ１は、下記（１２）式で表せる。
【０１０５】
ΔＳ１＝｜Ｓ［Ｙｎ］−Ｓ［Ｘｎ−１］｜・・・（１２）
【０１０６】
図８は、実施形態２に係る表示装置の記憶部に格納されるデータテーブルの一例を示す第１図である。図９は、実施形態２に係る表示装置の重み係数αの変化を示す第１図である。
【０１０７】
図８に示す例において、本実施形態の記憶部２６ａには、平均輝度Ｓ［Ｙｎ］と平均輝度Ｓ［Ｘｎ−１］との輝度差ΔＳ１の範囲と、重み係数αの値「ａ」，「ａ−ｂ」（ｂ＜ａ）とが関連付けられ、重み係数αの値「ａ」，「ａ−ｂ」（ｂ＜ａ）に対応して、各係数値（Ａ，Ｂ，Ｃ，Ｄ）がデータテーブルとして記憶されている。
【０１０８】
具体的に、図８に示す例において、記憶部２６ａには、輝度差ΔＳ１が０以上、かつ、第１閾値ｋ以下である場合（０≦ΔＳ１≦ｋ）の重み係数αの値「ａ」に対応して、各係数値（Ａ１，Ｂ１，Ｃ１，Ｄ１）が記憶されている。
【０１０９】
また、図８に示す例において、記憶部２６ａには、輝度差ΔＳ１が第１閾値ｋよりも大きい場合（ｋ＜ΔＳ１）の重み係数αの値「ａ−ｂ」（ｂ＜ａ）に対応して、各係数値（Ａ２，Ｂ２，Ｃ２，Ｄ２）が記憶されている。
【０１１０】
平均化処理部２３ａは、輝度差算出部２８ａによって算出された輝度差ΔＳ１と、所定の第１閾値ｋとを比較し、図９に示すように、輝度差ΔＳ１が０以上、かつ、第１閾値ｋ以下である場合（０≦ΔＳ１≦ｋ）には、重み係数αを値「ａ」とし、輝度差ΔＳ１が第１閾値ｋよりも大きい場合（ｋ＜ΔＳ１）には、重み係数αを値「ａ」よりも小さい値「ａ−ｂ」（ｂ＜ａ）とする。
【０１１１】
そして、平均化処理部２３ａは、平均輝度Ｓ［Ｙｎ］と平均輝度Ｓ［Ｘｎ−１］との輝度差ΔＳ１の範囲と、重み係数αの値とが関連付けられ、記憶部２６ａに記憶された図８に示すデータテーブルから、輝度差ΔＳ１の範囲に対応する上記（２’）式及び（３’）式の各項の係数を読み出し、上記（２’）式及び（３’）式を用いて、画素値Ｘｎ＋１を算出する。
【０１１２】
図１０は、実施形態２に係る表示装置の記憶部に格納されるデータテーブルの一例を示す第２図である。図１１は、実施形態２に係る表示装置の重み係数αの変化を示す第２図である。
【０１１３】
図１０に示す例において、本実施形態の記憶部２６ａには、平均輝度Ｓ［Ｙｎ］と平均輝度Ｓ［Ｘｎ−１］との輝度差ΔＳ１の範囲と、重み係数αの値「ａ」，「ａ−ｂ１」，「ａ−ｂ１」，「ａ−ｂ１」，「ａ−ｂ１」とが関連付けられ、重み係数αの値「ａ」，「ａ−ｂ１」，「ａ−ｂ１」，「ａ−ｂ１」，「ａ−ｂ１」に対応して、各係数値（Ａ，Ｂ，Ｃ，Ｄ）がデータテーブルとして記憶されている。
【０１１４】
具体的に、図１０に示す例において、本実施形態の記憶部２６ａには、輝度差ΔＳ１が０以上、かつ、第１閾値ｋ１以下である場合（０≦ΔＳ１≦ｋ１）の重み係数αの値「ａ」に対応して、各係数値（Ａ１，Ｂ１，Ｃ１，Ｄ１）が記憶されている。
【０１１５】
また、図１０に示す例において、記憶部２６ａには、輝度差ΔＳ１が第１閾値ｋ１よりも大きく、かつ、第１閾値ｋ２以下である場合（ｋ１＜ΔＳ１≦ｋ２）の重み係数αの値「ａ−ｂ１」に対応して、各係数値（Ａ２，Ｂ２，Ｃ２，Ｄ２）が記憶されている。
【０１１６】
また、図１０に示す例において、記憶部２６ａには、輝度差ΔＳ１が第１閾値ｋ２よりも大きく、かつ、第１閾値ｋ３以下である場合（ｋ２＜ΔＳ１≦ｋ３）の重み係数αの値「ａ−ｂ２」に対応して、各係数値（Ａ３，Ｂ３，Ｃ３，Ｄ３）が記憶されている。
【０１１７】
また、図１０に示す例において、記憶部２６ａには、輝度差ΔＳ１が第１閾値ｋ３よりも大きく、かつ、第１閾値ｋ４以下である場合（ｋ３＜ΔＳ１≦ｋ４）の重み係数αの値「ａ−ｂ３」に対応して、各係数値（Ａ４，Ｂ４，Ｃ４，Ｄ４）の各値が記憶されている。
【０１１８】
また、図１０に示す例において、記憶部２６ａには、輝度差ΔＳ１が第１閾値ｋ４よりも大きい場合（ｋ４＜ΔＳ１）の重み係数αの値「ａ−ｂ４」に対応して、各係数値（Ａ５，Ｂ５，Ｃ５，Ｄ５）が記憶されている。
【０１１９】
なお、図１０に示す例では、下記（１３）式が成立する。
【０１２０】
ｂ１＜ｂ２＜ｂ３＜ｂ４＜ａ・・・（１３）
【０１２１】
平均化処理部２３ａは、輝度差算出部２８ａによって算出された輝度差ΔＳ１と、所定の各第１閾値ｋ１，ｋ２，ｋ３，ｋ４とを比較し、図９に示すように、輝度差ΔＳ１が０以上、かつ、第１閾値ｋ１以下である場合（０≦ΔＳ１≦ｋ１）には、重み係数αを値「ａ」とし、輝度差ΔＳ１が第１閾値ｋ１よりも大きく、かつ、第１閾値ｋ２以下である場合（ｋ１＜ΔＳ１≦ｋ２）には、重み係数αを値「ａ−ｂ１」とし、輝度差ΔＳ１が第１閾値ｋ２よりも大きく、かつ、第１閾値ｋ３以下である場合（ｋ２＜ΔＳ１≦ｋ３）には、重み係数αを値「ａ−ｂ２」とし、輝度差ΔＳ１が第１閾値ｋ３よりも大きく、かつ、第１閾値ｋ４以下である場合（ｋ３＜ΔＳ１≦ｋ４）には、重み係数αを値「ａ−ｂ３」とし、輝度差ΔＳ１が第１閾値ｋ４よりも大きい場合（ｋ４＜ΔＳ１）には、重み係数αを値「ａ−ｂ４」とする。
【０１２２】
そして、平均化処理部２３ａは、平均輝度Ｓ［Ｙｎ］と平均輝度Ｓ［Ｘｎ−１］との輝度差ΔＳ１の範囲と、重み係数αの値とが関連付けられ、記憶部２６ａに記憶された図１０に示すデータテーブルから、輝度差ΔＳ１の範囲に対応する上記（２’）式及び（３’）式の各項の係数を読み出し、上記（２’）式及び（３’）式を用いて、画素値Ｘｎを算出する。
【０１２３】
すなわち、本実施形態では、図９及び図１１に破線で示したように、平均輝度Ｓ［Ｙｎ］と平均輝度Ｓ［Ｘｎ−１］との輝度差ΔＳ１が小さいほど、重み係数αの値を大きくする。これにより、平均輝度Ｓ［Ｙｎ］と平均輝度Ｓ［Ｘｎ−１］との輝度差ΔＳ１が大きい場合、すなわち、前フレームの画像データと次フレームの画像データとの輝度差が大きい場合の次フレームの画像データの画素値Ｘｎの変動が緩衝される。
【０１２４】
（変形例）
図１２は、実施形態２の変形例に係る表示装置の記憶部に格納されるデータテーブルの一例を示す第１図である。図１３は、実施形態２の変形例に係る表示装置の重み係数αの変化を示す第１図である。
【０１２５】
実施形態２の変形例では、１フレーム分の画素データのうち、特定の画素における画素データを標本点として、当該標本点の画素における、ｎ−１フレーム目の第２画像データに含まれる第２の画素データの画素値Ｘｎ−１ｉｊと、ｎフレーム目の第１画像データに含まれる第１の画素データの画素値Ｙｎｉｊとの差分の和である画素輝度差ΔＳ２を算出し、画素輝度差ΔＳ２が小さい場合、すなわち、標本点の画素における前フレームの画素値Ｘｎ−１ｉｊと次フレームの画素値Ｙｎｉｊとの一致度１／ΔＳ２が大きい場合には、重み係数αの値を大きくする。本実施形態では、所定画素数を隔てた複数の画素を標本点とする例について説明する。
【０１２６】
実施形態２の変形例において、輝度差算出部２８ａは、下記（１４）式を用いて、標本点とした各画素におけるｎ−１フレーム目の第２の画素データの画素値Ｘｎ−１ｉｊとｎフレーム目の第１の画素データの画素値Ｙｎｉｊとの差分の和である画素輝度差ΔＳ２を算出する。
【０１２７】
ΔＳ２＝Σ｜Ｘｎ−１ｉｊ−Ｙｎｉｊ｜・・・（１４）
【０１２８】
実施形態２の変形例において、記憶部２６ａには、図１２に示すように、それぞれ、標本点とした各画素における画素値Ｘｎ−１ｉｊと画素値Ｙｎｉｊとの差分の和である輝度差ΔＳ２の範囲と、重み係数αの値「ａ１」，「ａ２」とが関連付けられ、重み係数αの値「ａ１」，「ａ２」に対応して、各係数値（Ａ，Ｂ，Ｃ，Ｄ）がデータテーブルとして記憶されている。
【０１２９】
具体的に、図１２に示す例において、記憶部２６ａには、画素輝度差ΔＳ２が０以上、かつ、第１閾値ｋ以下である場合（０≦ΔＳ２≦ｋ）の重み係数αの値「ａ１」に対応して、各係数値（Ａ１，Ｂ１，Ｃ１，Ｄ１）が記憶されている。
【０１３０】
また、図１２に示す例において、記憶部２６ａには、画素輝度差ΔＳ２が第１閾値ｋよりも大きい場合（ｋ＜ΔＳ２）の重み係数αの値「ａ２」（ａ２＜ａ１）に対応して、各係数値（Ａ２，Ｂ２，Ｃ２，Ｄ２）が記憶されている。
【０１３１】
平均化処理部２３ａは、輝度差算出部２８ａによって算出された画素輝度差ΔＳ２と、所定の第１閾値ｋとを比較し、図１３に示すように、画素輝度差ΔＳ２が０以上、かつ、第１閾値ｋ以下である場合（０≦ΔＳ２≦ｋ）には、重み係数αを値「ａ１」とし、画素輝度差ΔＳ２が第１閾値ｋよりも大きい場合（ｋ＜ΔＳ２）には、重み係数αを値「ａ１」よりも小さい値「ａ２」（ａ２＜ａ１）とする。
【０１３２】
そして、平均化処理部２３ａは、標本点とした各画素における画素値Ｘｎ−１と画素値Ｙｎとの差分の和である画素輝度差ΔＳ２の範囲と、重み係数αの値とが関連付けられ、記憶部２６ａに記憶された図１２に示すデータテーブルから、画素輝度差ΔＳ２の範囲に対応する上記（２’）式及び（３’）式の各項の係数を読み出し、上記（２’）式及び（３’）式を用いて、画素値Ｘｎを算出する。
【０１３３】
図１４は、実施形態２の変形例に係る表示装置の記憶部に格納されるデータテーブルの一例を示す第２図である。図１５は、実施形態２の変形例に係る表示装置の重み係数αの変化を示す第２図である。
【０１３４】
図１４に示す例において、記憶部２６ａには、それぞれ、標本点とした各画素における画素値Ｘｎ−１ｉｊと画素値Ｙｎｉｊとの差分の和である画素輝度差ΔＳ２の範囲と、重み係数αの値「ａ１」，「ａ２」，「ａ３」，「ａ４」，「ａ５」とが関連付けられ、重み係数αの値「ａ１」，「ａ２」，「ａ３」，「ａ４」，「ａ５」に対応して、各係数値（Ａ，Ｂ＝Ｄ，Ｃ）がデータテーブルとして記憶されている。
【０１３５】
具体的に、図１４に示すように、実施形態２の変形例において、記憶部２６ａには、画素輝度差ΔＳ２が０以上、かつ、第１閾値ｋ１以下である場合（０≦ΔＳ２≦ｋ１）の重み係数αの値「ａ１」に対応して、各係数値（Ａ１，Ｂ１，Ｃ１，Ｄ１）が記憶されている。
【０１３６】
また、図１４に示す例において、記憶部２６ａには、画素輝度差ΔＳ２が第１閾値ｋ１よりも大きく、かつ、第１閾値ｋ２以下である場合（ｋ１＜ΔＳ２≦ｋ２）の重み係数αの値「ａ２」に対応して、各係数値（Ａ２，Ｂ２，Ｃ２，Ｄ２）が記憶されている。
【０１３７】
また、図１４に示す例において、記憶部２６ａには、画素輝度差ΔＳ２が第１閾値ｋ２よりも大きく、かつ、第１閾値ｋ３以下である場合（ｋ２＜ΔＳ２≦ｋ３）の重み係数αの値「ａ３」に対応して、各係数値（Ａ３，Ｂ３，Ｃ３，Ｄ３）が記憶されている。
【０１３８】
また、図１４に示す例において、記憶部２６ａには、画素輝度差ΔＳ２が第１閾値ｋ３よりも大きく、かつ、第１閾値ｋ４以下である場合（ｋ３＜ΔＳ２≦ｋ４）の重み係数αの値「ａ４」に対応して、各係数値（Ａ４，Ｂ４，Ｃ４，Ｄ４）が記憶されている。
【０１３９】
また、図１４に示す例において、記憶部２６ａには、画素輝度差ΔＳ２が第１閾値ｋ４よりも大きい場合（ｋ４＜ΔＳ２）の重み係数αの値「ａ５」に対応して、各係数値（Ａ５，Ｂ５，Ｃ５，Ｄ５）が記憶されている。
【０１４０】
なお、図１４に示す例では、下記（１５）式及び（１６）式が成立する。
【０１４１】
ｋ１＜ｋ２＜ｋ３＜ｋ４・・・（１５）
【０１４２】
ａ１＞ａ２＞ａ３＞ａ４＞ａ５・・・（１６）
【０１４３】
平均化処理部２３ａは、輝度差算出部２８ａによって算出された画素輝度差ΔＳ２と、所定の各第１閾値ｋ１，ｋ２，ｋ３，ｋ４とを比較し、図１５に示すように、画素輝度差ΔＳ２が０以上、かつ、第１閾値ｋ１以下である場合（０≦ΔＳ２≦ｋ１）には、重み係数αを値「ａ１」とし、画素輝度差ΔＳ２が第１閾値ｋ１よりも大きく、かつ、第１閾値ｋ２以下である場合（ｋ１＜ΔＳ２≦ｋ２）には、重み係数αを値「ａ２」とし、画素輝度差ΔＳ２が第１閾値ｋ２よりも大きく、かつ、第１閾値ｋ３以下である場合（ｋ２＜ΔＳ２≦ｋ３）には、重み係数αを値「ａ３」とし、画素輝度差ΔＳ２が第１閾値ｋ３よりも大きく、かつ、第１閾値ｋ４以下である場合（ｋ３＜ΔＳ２≦ｋ４）には、重み係数αを値「ａ４」とし、画素輝度差ΔＳ２が第１閾値ｋ４よりも大きい場合（ｋ４＜ΔＳ２）には、重み係数αを値「ａ５」とする。
【０１４４】
そして、平均化処理部２３ａは、標本点とした各画素における画素値Ｘｎ−１ｉｊと画素値Ｙｎｉｊとの差分の和である画素輝度差ΔＳ２の範囲と、重み係数αの値とが関連付けられ、記憶部２６ａに記憶された図１４に示すデータテーブルから、画素輝度差ΔＳ２の範囲に対応する上記（２’）式及び（３’）式の各項の係数を読み出し、上記（２’）式及び（３’）式を用いて、画素値Ｘｎを算出する。
【０１４５】
すなわち、本実施形態では、図１３及び図１５に破線で示したように、１フレーム分の画素データのうち、特定の画素における画素データを標本点として、当該標本点の画素における、ｎ−１フレーム目の第２画像データに含まれる第２の画素データの画素値Ｘｎ−１ｉｊと、ｎフレーム目の第１画像データに含まれる第１の画素データの画素値Ｙｎｉｊとの差分の和である画素輝度差ΔＳ２を算出し、画素輝度差ΔＳ２が小さいほど、換言すれば、標本点の画素における前フレームの画素値Ｘｎ−１と次フレームの画素値Ｙｎとの一致度１／ΔＳ２が大きいほど、重み係数αの値を大きくする。これにより、標本点とした各画素における画素値Ｘｎ−１ｉｊと画素値Ｙｎｉｊとの差分の和である画素輝度差ΔＳ２が小さい場合、すなわち、標本点の画素における前フレームの画素値Ｘｎ−１と次フレームの画素値Ｙｎとの一致度１／ΔＳ２が大きい場合には、次フレームの画像データの画素値Ｘｎの変動を大きくすることができる。
【０１４６】
以上説明したように、実施形態２に係る表示装置１ａにおいて、平均化処理部２３ａは、ｎフレーム目の第１画像データに含まれる第１の画素データの画素値Ｙｎの平均輝度と、ｎ−１フレーム目の第２画像データに含まれる第２の画素データの画素値Ｘｎ−１の平均輝度との輝度差ΔＳ１が所定の第１閾値ｋより大きい場合に、重み係数αの値を小さくする。
【０１４７】
また、平均化処理部２３ａは、ｎ−１フレーム目の第２画像データに含まれる第２の画素データの画素値Ｘｎ−１と、ｎフレーム目の第１画像データに含まれる第１の画素データの画素値Ｙｎとの一致度１／ΔＳ２が所定の第１閾値ｋより大きい場合に、重み係数αの値を大きくする。
【０１４８】
上記構成により、第１画像データの変化に適応した画像表示のちらつき抑制効果が得られる。
【０１４９】
本実施形態により、第１画像データの変化に適応した画像表示のちらつき抑制効果が得られる表示装置１ａを得ることができる。
【０１５０】
（実施形態３）
図１６は、実施形態３に係る表示装置の要部構成例を示すブロック図である。図１７は、実施形態３に係る表示装置の表示モードの遷移例を示す図である。なお、上述した実施形態１，２と同等あるいは同一の構成部については、重複する説明を省略する。
【０１５１】
図１６に示すように、実施形態３に係る表示装置１ｂは、実施形態２の構成と同様であるが、図１７に示すように、実施形態３に係る表示装置１ｂの表示モードとして、通常表示モード及び時間平均画像表示モードに加え、第１表示保持モードを有するため、各構成部の動作が異なっている。
【０１５２】
具体的に、第１表示保持モードにおいて、画像データ処理部２０ｂは、画像データ処理部２０ｂに入力された第１画像データの更新を停止し、当該更新を停止した第１画像データを用いて平均化処理を行い、第２画像データを出力する。
【０１５３】
すなわち、本実施形態において、第１表示保持モードとは、画像データ処理部２０に入力された第１画像データの更新を停止し、当該更新を停止した第１画像データを用いて平均化処理を行い、第２画像データを出力する表示モードである。
【０１５４】
フレーム間引き処理部２７１ｂは、第１表示保持モードにおいて、入力された第１画像データの出力を停止する。これにより、第１メモリ２１には、時間平均画像表示モード中に取得した最後の１フレーム分の第１画像データが保持される。
【０１５５】
記憶部２６ｂには、実施形態１における記憶部２６又は実施形態２における記憶部２６ａに記憶される情報に加え、第１表示保持モードを維持する所定時間Ｔ１が格納される。
【０１５６】
次に、第１表示保持モードにおける動作及び表示モード間の切り替えについて説明する。なお、図１７に示す各表示モード間の切り替えは、制御部３０ｂが行う。
【０１５７】
具体的には、例えば、時間平均画像表示モード中において、ユーザーがユーザー入力部９を操作して、第１表示保持モードの「ＯＮ」を選択することにより、制御部３０ｂは、第１表示保持モードでの表示を行うように、画像データ処理部２０ｂを制御する。
【０１５８】
また、例えば、ユーザーがユーザー入力部９を操作して、第１表示保持モードの「ＯＦＦ」を選択するか、あるいは、第１表示保持モードに移行して所定時間Ｔ１が経過した場合に、制御部３０ｂは、時間平均画像表示モードでの表示を行うように、画像データ処理部２０ｂを制御する。
【０１５９】
なお、ユーザーによる表示モードの切り替えは、ユーザー入力部９がハードウェアボタンである場合には、ハードウェアボタンを押した回数あるいは時間経過等に応じて切り替える態様であっても良い。また、ユーザーによる表示モードの切り替えは、ユーザー入力部９がタッチセンサである場合には、表示部１０に表示されたアイコンへのタッチ操作や所定のジェスチャに応じて切り替える態様であっても良い。ユーザーによる表示モードの切り替え手法により本発明が限定されるものではない。
【０１６０】
第１表示保持モードにおいて、制御部３０ｂは、画像データ処理部２０ｂに対し、第１表示保持動作指令を出力する。
【０１６１】
フレーム間引き処理部２７１ｂは、第１表示保持動作指令に基づき、入力された第１画像データの出力を停止する。
【０１６２】
画像データ選択部２５は、第１表示保持動作指令に基づき、バッファメモリ２４から出力される第２画像データを選択して出力する。
【０１６３】
これにより、時間平均画像表示モード中に取得した最後の１フレーム分の第２画像データが出力され、第１表示保持モードで画像表示が行われる。
【０１６４】
図１８は、実施形態３に係る表示装置の表示モード切替処理例を示すフローチャートである。
【０１６５】
時間平均画像表示モード中において、制御部３０ｂは、第１表示保持モードの「ＯＮ」が選択されたか否かを判定する（ステップＳ１０１）。
【０１６６】
第１表示保持モードの「ＯＮ」が選択されると（ステップＳ１０１；Ｙｅｓ）、制御部３０ｂは、画像データ処理部２０ｂに対し、第１表示保持動作指令を出力するとともに、第１表示保持モードを維持する所定時間Ｔ１のタイマーをスタートする（ステップＳ１０２）。第１表示保持モードの「ＯＮ」が選択されていない場合（ステップＳ１０１；Ｎｏ）、制御部３０ｂは、ステップＳ１０１の処理を繰り返し行う。このステップＳ１０１の処理を繰り返し行う処理を、以下「第１表示保持モード切替待機状態」とも称する。
【０１６７】
画像データ処理部２０ｂは、第１表示保持動作指令に基づき、第１表示保持モードに移行する（ステップＳ１０３）。具体的に、フレーム間引き処理部２７１ｂは、入力された第１画像データの出力を停止し、画像データ選択部２５は、バッファメモリ２４から出力される第２画像データを選択して出力する。
【０１６８】
第１表示保持モード中において、制御部３０ｂは、所定時間Ｔ１が経過したか否かを判定する（ステップＳ１０４）。
【０１６９】
所定時間Ｔ１が経過していない場合（ステップＳ１０４；Ｎｏ）、制御部３０ｂは、第１表示保持モードの「ＯＦＦ」が選択されたか否かを判定する（ステップＳ１０５）。第１表示保持モードの「ＯＦＦ」が選択されていない場合（ステップＳ１０５；Ｎｏ）、制御部３０ｂは、ステップＳ１０４の処理に戻る。
【０１７０】
所定時間Ｔ１が経過するか（ステップＳ１０４；Ｙｅｓ）、又は、第１表示保持モードの「ＯＦＦ」が選択されると（ステップＳ１０５；Ｙｅｓ）、制御部３０ｂは、画像データ処理部２０ｂに対し、時間平均画像表示動作指令を出力する（ステップＳ１０６）。
【０１７１】
画像データ処理部２０ｂは、時間平均画像表示動作指令に基づき、時間平均画像表示モードに移行する（ステップＳ１０７）。具体的に、フレーム間引き処理部２７１ｂは、入力された第１画像データのフレーム間引き処理を行い、平均化処理部２３ｂは、平均化処理を行い、画像データ選択部２５は、バッファメモリ２４から出力される第２画像データを選択して出力する。
【０１７２】
時間平均画像表示モードに移行後、ステップＳ１０１の処理に戻り、第１表示保持モード切替待機状態に移行する。
【０１７３】
上述した実施形態３に係る表示装置の表示モード切替処理により、時間平均画像表示モードにおいて、ユーザーが第１表示保持モードの「ＯＮ」を選択した任意のタイミングで、表示部１０に表示される画像表示を保持することができる。これにより、任意のタイミングで表示された情報の認識度を向上することができる。
【０１７４】
以上説明したように、実施形態３に係る表示装置１ｂにおいて、フレーム間引き処理部２７１ｂは、画像データ選択部２５によって第２画像データが選択されているとき、第１画像データの出力を停止する。
【０１７５】
これにより、時間平均画像表示モードにおいて任意のタイミングで表示された情報の認識度を向上することができる。
【０１７６】
本実施形態により、第１画像データの急峻な変化による画像表示のちらつきを抑制した第２画像データによる画像表示を行いつつ、任意のタイミングで表示された情報の認識度を向上することが可能な表示装置１ｂを得ることができる。
【０１７７】
（実施形態４）
図１９は、実施形態４に係る表示装置の要部構成例を示すブロック図である。図２０は、実施形態４に係る表示装置の表示モードの遷移例を示す図である。なお、上述した実施形態１，２，３と同等あるいは同一の構成部については、重複する説明を省略する。
【０１７８】
図１９に示すように、実施形態４に係る表示装置１ｃは、実施形態３の構成と同様であるが、図２０に示すように、実施形態４に係る表示装置１ｃの表示モードとして、ユーザーがユーザー入力部９を操作して、第１表示保持モードの「ＯＮ」を選択する第１表示保持モードに代えて、第１表示保持モードとは異なる第２表示保持モードを有するため、各構成部の動作が異なっている。具体的に、本実施形態では、輝度差算出部２８ｃにより算出された輝度差ΔＳ１が所定の第２閾値Ｋ１よりも大きいことをトリガーとして、第２表示保持モードでの表示を行う。
【０１７９】
具体的に、記憶部２６ｃには、実施形態１における記憶部２６又は実施形態２における記憶部２６ａに記憶される情報に加え、第２表示保持モードを維持する所定時間Ｔ２が格納される。
【０１８０】
輝度差算出部２８ｃは、実施形態２と同様に、上記（１２）式を用いて、第１メモリ２１から入力された１フレーム分の第１画像データに含まれる第１の画素データの画素値Ｙｎの平均輝度Ｓ［Ｙｎ］と第２メモリ２２から入力された１フレーム分の第２画像データに含まれる第２の画素データの画素値Ｘｎ−１の平均輝度Ｓ［Ｘｎ−１］との輝度差ΔＳ１を算出する。あるいは、輝度差算出部２８ｃは、実施形態２の変形例と同様に、上記（１４）式を用いて、標本点とした各画素における画素値Ｘｎ−１ｉｊと画素値Ｙｎｉｊとの差分の和である画素輝度差ΔＳ２を算出する。輝度差算出部２８ｃは、算出した平均輝度Ｓ［Ｙｎ］と平均輝度Ｓ［Ｘｎ−１］との輝度差ΔＳ１、又は、標本点とした各画素における画素値Ｘｎ−１ｉｊと画素値Ｙｎｉｊとの差分の和である画素輝度差ΔＳ２を、制御部３０ｃに出力する点において、実施形態２とは異なっている。
【０１８１】
次に、第２表示保持モードにおける動作及び表示モード間の切り替えについて説明する。なお、図２０に示す各表示モード間の切り替えは、制御部３０ｃが行う。なお、本実施形態では、輝度差算出部２８ｃにより輝度差ΔＳ１又は画素輝度差ΔＳ２を算出する必要がある。このため、本実施形態では、通常表示モードにおいて、平均化処理部２３ｃが平均化処理を行い、輝度差算出部２８ｃが、第２メモリ２２から入力された１フレーム分の第２画像データに含まれる第２の画素データの画素値Ｘｎ−１の平均輝度Ｓ［Ｘｎ−１］、又は、標本点とした各画素における画素値Ｘｎ−１ｉｊと画素値Ｙｎｉｊとの差分の和である画素輝度差ΔＳ２を算出可能な構成としている。
【０１８２】
具体的に、本実施形態において、制御部３０ｃは、輝度差算出部２８ｃにより算出された輝度差ΔＳ１が所定の第２閾値Ｋ１よりも大きいことをトリガーとして、第２表示保持モードでの表示を行うように、画像データ処理部２０ｃを制御する。
【０１８３】
あるいは、本実施形態において、制御部３０ｃは、輝度差算出部２８ｃにより算出された画素輝度差ΔＳ２が所定の第２閾値Ｋ２よりも大きいことをトリガーとして、第２表示保持モードでの表示を行うように、画像データ処理部２０ｃを制御する。
【０１８４】
また、例えば、ユーザーがユーザー入力部９を操作して、第２表示保持モードの「ＯＦＦ」を選択するか、あるいは、第１表示保持モードに移行して所定時間Ｔ２が経過した場合に、制御部３０ｃは、通常表示モードでの表示を行うように、画像データ処理部２０ｃを制御する。
【０１８５】
なお、入力部（不図示）は、例えば、表示部１０に設けられたタッチセンサであっても良いし、表示装置１ｃに設けられたハードウェアボタン（不図示）であっても良い。ユーザーによる表示モードの切り替え手法により本発明が限定されるものではない。
【０１８６】
第２表示保持モードにおいて、制御部３０ｃは、画像データ処理部２０ｃに対し、第２表示保持動作指令を出力する。
【０１８７】
フレーム間引き処理部２７１ｃは、第２表示保持動作指令に基づき、入力された第１画像データの出力を停止する。
【０１８８】
画像データ選択部２５は、第２表示保持動作指令に基づき、第１メモリ２１から出力される第１画像データを選択して出力する。
【０１８９】
これにより、通常表示モード中に取得した最後の１フレーム分の第１画像データが出力され、第２表示保持モードで画像表示が行われる。
【０１９０】
図２１は、実施形態４に係る表示装置の表示モード切替処理例を示すフローチャートである。
【０１９１】
通常表示モード中において、制御部３０ｃは、輝度差算出部２８ｃにより算出された輝度差ΔＳ１が所定の第２閾値Ｋ１よりも大きい否か（ΔＳ１＞Ｋ１）を判定する。あるいは、制御部３０ｃは、輝度差算出部２８ｃにより算出された画素輝度差ΔＳ２が所定の第２閾値Ｋ２よりも大きい否か（ΔＳ２＞Ｋ２）を判定する。（ステップＳ２０１）。
【０１９２】
制御部３０ｃは、輝度差ΔＳ１が所定の第２閾値Ｋ１よりも大きいことを検出したこと、又は、画素輝度差ΔＳ２が所定の第２閾値Ｋ２よりも大きいことを検出したことをトリガーとして（ステップＳ２０１；Ｙｅｓ）、画像データ処理部２０ｃに対し、第２表示保持動作指令を出力するとともに、第２表示保持モードを維持する所定時間Ｔ２のタイマーをスタートする（ステップＳ２０２）。輝度差ΔＳ１が所定の第２閾値Ｋ１以下、又は、画素輝度差ΔＳ２が所定の第２閾値Ｋ２以下である場合（ステップＳ２０１；Ｎｏ）、制御部３０ｃは、ステップＳ２０１の処理を繰り返し行う。このステップＳ２０１の処理を繰り返し行う処理を、以下「第２表示保持モード切替待機状態」とも称する。
【０１９３】
画像データ処理部２０ｃは、第２表示保持動作指令に基づき、第２表示保持モードに移行する（ステップＳ２０３）。具体的に、フレーム間引き処理部２７１ｃは、入力された第１画像データの出力を停止し、画像データ選択部２５は、第１メモリ２１から出力される第１画像データを選択して出力する。
【０１９４】
第２表示保持モード中において、制御部３０ｃは、所定時間Ｔ２が経過したか否かを判定する（ステップＳ２０４）。
【０１９５】
所定時間Ｔ２が経過していない場合（ステップＳ２０４；Ｎｏ）、制御部３０ｃは、第２表示保持モードの「ＯＦＦ」が選択されたか否かを判定する（ステップＳ２０５）。第２表示保持モードの「ＯＦＦ」が選択されていない場合（ステップＳ２０５；Ｎｏ）、制御部３０ｃは、ステップＳ２０４の処理に戻る。
【０１９６】
所定時間Ｔ２が経過するか（ステップＳ２０４；Ｙｅｓ）、又は、第２表示保持モードの「ＯＦＦ」が選択されると（ステップＳ２０５；Ｙｅｓ）、制御部３０ｃは、画像データ処理部２０ｃに対し、通常表示動作指令を出力する（ステップＳ２０６）。
【０１９７】
画像データ処理部２０ｃは、通常表示動作指令に基づき、通常表示モードに移行する（ステップＳ２０７）。具体的に、フレーム間引き処理部２７１ｃは、入力された第１画像データのフレーム間引き処理を停止し、画像データ選択部２５は、第１メモリ２１から出力される第１画像データを選択して出力する。
【０１９８】
通常表示モードに移行後、ステップＳ２０１の処理に戻り、第２表示保持モード切替待機状態に移行する。
【０１９９】
上述した実施形態４に係る表示装置の表示モード切替処理により、通常表示モード中において、輝度差ΔＳ１が所定の第２閾値Ｋ１よりも大きいことを検出したこと、又は、画素輝度差ΔＳ２が所定の第２閾値Ｋ２よりも大きいことを検出したことをトリガーとして、表示部１０に表示される画像表示を保持することができる。これにより、例えば、極めて少ないフレーム数のポップアップウィンドウのような高輝度な表示内容が第１画像データに含まれる場合でも、当該第１画像データに含まれる情報の認識度を向上することができる。
【０２００】
以上説明したように、実施形態４に係る表示装置１ｃにおいて、フレーム間引き処理部２７１ｃは、画像データ選択部２５によって第１画像データが選択されているとき、第１画像データの出力を停止する。
【０２０１】
また、画像データ選択部２５は、ｎフレーム目の第１画像データに含まれる第１の画素データの画素値Ｙｎの平均輝度と、ｎ−１フレーム目の第２画像データに含まれる第２の画素データの画素値Ｘｎ−１の平均輝度との輝度差が所定の第２閾値Ｋ１より大きい場合に、第１画像データを選択する。
【０２０２】
あるいは、画像データ選択部２５は、ｎ−１フレーム目の第２画像データに含まれる第２の画素データの画素値Ｘｎ−１ｉｊと、ｎフレーム目の第１画像データに含まれる第１の画素データの画素値Ｙｎｉｊとの一致度が所定の第２閾値Ｋ２より大きい場合に、第１画像データを選択する。
【０２０３】
本実施形態により、第１画像データに含まれる情報の認識度を向上することができる。
【０２０４】
なお、上述した実施形態３における第１表示保持モードに加えて、実施形態４における第２表示保持モードを有する態様であっても良いし、上述した実施形態４における第４表示保持モードに加えて、実施形態３における第１表示保持モードを有する態様であっても良い。
【０２０５】
以上、本発明の好適な実施の形態を説明したが、本発明はこのような実施の形態に限定されるものではない。実施の形態で開示された内容はあくまで一例にすぎず、本発明の趣旨を逸脱しない範囲で種々の変更が可能である。本発明の趣旨を逸脱しない範囲で行われた適宜の変更についても、当然に本発明の技術的範囲に属する。
【符号の説明】
【０２０６】
１，１ａ，１ｂ，１ｃ  表示装置
２  表示基板
３  第１回路基板
４  第２回路基板
６  ドライバＩＣ
７  タイミングコントローラ
８  ホストＩＣ
９  ユーザー入力部
１０  表示部
２０，２０ａ，２０ｂ，２０ｃ  画像データ処理部
２１  第１メモリ
２２  第２メモリ
２３，２３ａ，２３ｂ，２３ｃ  平均化処理部
２４  バッファメモリ
２５  画像データ選択部
２６，２６ａ，２６ｂ，２６ｃ  記憶部
２７，２７ｂ，２７ｃ  データ入力部
２８ａ，２８ｃ  輝度差算出部
３０，３０ｂ，３０ｃ  制御部
２７１，２７１ｂ，２７１ｃ  フレーム間引き処理部
【図１】
2020115177.tif 000003
【図２】
2020115177.tif 000004
【図３】
2020115177.tif 000005
【図４】
2020115177.tif 000006
【図５】
2020115177.tif 000007
【図６】
2020115177.tif 000008
【図７】
2020115177.tif 000009
【図８】
2020115177.tif 000010
【図９】
2020115177.tif 000011
【図１０】
2020115177.tif 000012
【図１１】
2020115177.tif 000013
【図１２】
2020115177.tif 000014
【図１３】
2020115177.tif 000015
【図１４】
2020115177.tif 000016
【図１５】
2020115177.tif 000017
【図１６】
2020115177.tif 000018
【図１７】
2020115177.tif 000019
【図１８】
2020115177.tif 000020
【図１９】
2020115177.tif 000021
【図２０】
2020115177.tif 000022
【図２１】
2020115177.tif 000023